(57)【特許請求の範囲】
【請求項１】
壁に取り付けられる外壁材と、壁の開口に取り付けられる外部建具との間に形成される目地を封止するガスケットにおいて、
前記外部建具の前記外壁材側の端面に設けられた受け部に嵌め込まれる嵌め込み本体部と、
前記嵌め込み本体部と一体に、当該嵌めこみ本体部から前記外壁材側に突出した状態で設けられ、前記外壁材の端面に当接する弾性変形可能な先端シール部を有する二次シール部と、
前記嵌め込み本体部及び前記二次シール部とスリット状空隙を介して一体に設けられ、前記外壁材の端面及び前記外部建具の端面に当接する弾性変形可能な先端シール部を有する一次シール部とを備え、
前記スリット状空隙の奥行端を始点として前記嵌め込み本体部から前記一次シール部および前記二次シール部をそれぞれ切り離し可能な第１カットライン及び第２カットラインを設定してなり、
前記外壁材の端面形状に合わせて、前記一次シール部及び前記二次シール部を一体にしたままの形態、前記一次シール部だけを切り離した形態および前記二次シール部だけを切り離した形態の３つの形態で使い分けできるように構成されている
ことを特徴とするガスケット。
【請求項２】
前記外壁材の端面がサネ部の少なくとも一部をカットした形状であり、
前記一次シール部及び前記二次シール部を一体にしたままの形態が選択され、前記一次シール部の先端シール部が前記外壁材の端面及び前記外部建具の端面に当接されるとともに、前記二次シール部の先端シール部が前記外壁材の端面に当接された状態で配置される ことを特徴とする請求項１記載のガスケット。
【請求項３】
前記外壁材の端面が上サネを有した形状であり、
前記一次シール部だけを切り離した形態が選択され、前記二次シール部の先端シール部が前記上サネの下部コーナー部分に当接された状態で配置される
ことを特徴とする請求項１記載のガスケット。
【請求項４】
前記外壁材の端面が下サネを有した形状であり、
前記二次シール部だけを切り離した形態が選択され、前記一次シール部の先端シール部が前記外壁材の端面及び前記外部建具の端面に当接されるとともに、前記嵌め込み本体部が前記下サネの先端に当接された状態で配置される
ことを特徴とする請求項１記載のガスケット。
【請求項５】
前記二次シール部の内部に前記第２カットラインを包含する空間部を設けてなる
ことを特徴とする請求項１記載のガスケット。
【発明の詳細な説明】
【０００１】
【発明の属する技術分野】
本発明は、外壁面の化粧材として使用されるサイディング（以下本発明においては単に外壁材という。）と、外壁面の開口部に取り付けられる窓用サッシ枠あるいはサッシ用ケーシング等（以下本発明においては単に外部建具という。）との間に形成される目地を封止するガスケットに関するものである。
【０００２】
【従来の技術】
従来より外壁面の化粧材として、壁パネルに外壁材を取り付けている。この外壁材３１は、一般に図５に示すように一端面に下サネ３２を有すると共に、他端面に上サネ３３を有しており、外壁材３１同志の両端の突き合わせ部を雨仕舞い、あるいは見掛かり上から図５に示すように下サネ３２と上サネ３３とが重なるように突き合わせて組み付けるようにしている。
【０００３】
外壁材３１は、図６に示すように壁パネル３４に対し胴縁３５を介して取り付けられるが、壁パネル３４に開口部を設け、この開口部に外部建具３６を取り付ける場合、外部建具３６と外壁材３１との間に目地３７が形成されるので、目地３７に対しては、通常雨仕舞いのためにコーキング材３８を埋め込み、湿式シールするようにしている。しかしながら、コーキング材３８による湿式シールは、コーキング材３８が固まるまでに時間がかかり、養生に長時間を要することから、施工時間が長くなる問題があるため、現場では採用し難くなって来ている。
【０００４】
【発明が解決しようとする課題】
本発明の課題は、外壁材の端面形状に影響されずに、いずれの端面形状でも外壁材と外部建具との間の目地を確実に封止することができるガスケットを提供することにある。
【０００５】
【課題を解決するための手段】
上記した課題を解決するため、本発明に係るガスケットは、壁に取り付けられる外壁材と、壁の開口に取り付けられる外部建具との間に形成される目地を封止するガスケットにおいて、前記外部建具の前記外壁材側の端面に設けられた受け部に嵌め込まれる嵌め込み本体部と、前記嵌め込み本体部と一体に、当該嵌めこみ本体部から前記外壁材側に突出した状態で設けられ、前記外壁材の端面に当接する弾性変形可能な先端シール部を有する二次シール部と、前記嵌め込み本体部及び前記二次シール部にスリット状空隙を介して一体に設けられ、前記外壁材の端面及び前記外部建具の端面に当接する弾性変形可能な先端シール部を有する一次シール部とを備えている。そして、前記スリット状空隙の奥行端を始点として前記嵌め込み本体部から前記一次シール部および前記二次シール部をそれぞれ切り離し可能な第１カットライン及び第２カットラインを設定してなり、前記外壁材の端面形状に合わせて、前記一次シール部及び前記二次シール部を一体にしたままの形態、前記一次シール部だけを切り離した形態および前記二次シール部だけを切り離した形態の３つの形態で使い分けできるように構成されていることを特徴としている。
【０００６】
このようなガスケットによれば、外壁材の端面のサネ形状に合わせて、上記ガスケットをそのまま使用するか、第１カットラインから一次シール部を切り離して使用するか、あるいは第２カットラインから二次シール部を切り離して使用するか、のいずれかによって使用することができるため、外壁材端面のサネ形状が変わってもそれに影響されずに、一種類のガスケットによって、外壁材と外部建具との間の目地を確実に封止することができる。
【０００７】
更に、本発明に係る目地封止用ガスケットは、前記二次シール部の内部に前記第２カットラインを包含する空間部を設けてなることを特徴とするもので、この空間部によるクッション作用によって、二次シール部での封止をより確実ならしめることができると共に、第２カットラインからの二次シール部の切り離しを容易化することができる。
【０００８】
【発明の実施の形態】
以下に本発明の実施の形態を図１乃至図４に基づいて説明する。図１は本発明の実施形態に係る外壁材と外部建具間の封止構造の第１の形態を示す断面図、図２は本発明の実施形態に係る外壁材と外部建具間の封止構造の第２の形態を示す断面図、図３は本発明の実施形態に係る外壁材と外部建具間の封止構造の第３の形態を示す断面図、図４は本発明に係る外壁材と外部建具間の封止構造に使用するガスケットの構成を示す断面図である。
【０００９】
図中において、１は建物の外壁を形成する壁パネルであり、この壁パネル１には、胴縁２を介して一端に下サネ４、他端に上サネ５を有する外壁材３が追い回し的に横貼りされて組み付けられる。また、この壁パネル１には、開口６が設けられ、同開口６には、例えば窓用サッシ枠７、サッシ用ケーシング８等の外部建具９が設置される。外部建具９の窓用サッシ枠７は、壁パネル１との間にシール材１０を介装してネジ１１により取り付けられる。
【００１０】
このように壁パネル１に外壁材３及び窓用サッシ枠７を取り付けると、その間に壁パネル１の露出部ができ、また、窓用サッシ枠７の外面側が外部に露出するため、これらの露出部を覆うように窓用サッシ枠７の外面側に外部建具９のサッシ用ケーシング８を取り付ける。サッシ用ケーシング８は、窓用サッシ枠７の外面側に設けられている引っ掻け部１２に嵌合爪１３を嵌め込むことによって組み付けられる。
【００１１】
また、外壁材３の端面と外部建具９であるサッシ用ケーシング８の端面との間には、目地１４が形成されるが、この目地１４は雨仕舞い、あるいは見掛かり上から封止する必要がある。この目地１４は、サッシ用ケーシング８の端面に設置され、外壁材３の端面にシール部の先端が弾性変形されて当接されるガスケット１５により封止されるようになる。
【００１２】
ガスケット１５は、図４に示すようにサッシ用ケーシング８の外壁材側の端面に設けられた受け部１６に嵌め込まれる嵌め込み本体部１７と、同嵌め込み本体部１７に対して一体に設けられる一次シール部１８及び二次シール部１９と、この一次シール部１８及び二次シール部１９間に設けられるスリット状空隙２０と、二次シール部１９の内部に設けられる空間部２１とを有している。
【００１３】
一次シール部１８及び二次シール部１９には、それぞれが外壁材３の端面、サッシ用ケーシング８の端面に当接して弾性変形可能な先端シール部２２、２３、２４、及び２５が形成されており、これら先端シール部２２、２３、２４、及び２５は、本体部分から外方へ突出されるよう形成されている。また、ガスケット１５には、スリット状空隙２０の奥行端を始点として嵌め込み本体部１７から一次シール部１８を切り離し可能な第１カットライン２６と、二次シール部１９を切り離し可能な第２カットライン２７が設定されている。
【００１４】
第２カットライン２７は、二次シール部１９の内部に設けられている空間部２１を包含し、切り離しが行い易いように設定されている。このようにガスケット１５は、第１カットライン２６及び第２カットライン２７を設定し、ここから一次シール部１８及び二次シール部１９を切り離しできるように構成され、３通りの形態、すなわち一次シール部１８及び二次シール部１９を一体にしたままの形態、一次シール部１８だけを切り離した形態、並びに二次シール部１９だけを切り離した形態の３つの形態で使い分けできるようになっている。
【００１５】
これは、一種類のガスケット１５を以下の３つの使用形態に応じて使い分けするためである。つまり、サッシ用ケーシング８の端面との間で目地１４を形成する外壁材３の端面が、前述したように一端が下サネ４、他端が上サネ５となっており、開口６側に位置する外壁材３の端面が下サネ４か、又は上サネ５、あるいはサネ部をカットした状態か、のいずれかによって、外部建具９のサッシ用ケーシング８の端面との間に形成される目地１４の取り合いが異なり、それに合わせてガスケット１５を使い分けしなければならないからである。
【００１６】
図１には、外壁材３の端面が下サネ４の場合の形態が示されている。この場合、ガスケット１５の二次シール部１９を第２カットライン２７から切り離し、その嵌め込み本体部１７をサッシ用ケーシング８の受け部１６に嵌め込むことによって、ガスケット１５をサッシ用ケーシング８に設置する。
【００１７】
外壁材３の下サネ４とサッシ用ケーシング８に設置したガスケット１５との接触面にブチルゴム２８を挟み込み、サッシ用ケーシング８の嵌合爪１３を窓用サッシ枠７の引っ掻け部１２に嵌め込むことによりサッシ用ケーシング８を組み付けると、ガスケット１５の一次シール部１８の先端シール部２２、２３、２４が、外壁材３とサッシ用ケーシング８の端面に弾性変形するように当接し、両端面間に形成される目地１４を完全にシールする。
【００１８】
この際の組み付け順序は、先ず壁パネル１に窓用サッシ枠７を取り付けるが、次のガスケット１５を嵌め込んだサッシ用ケーシング８と外壁材３との取り付け順序は、取り付け誤差が少なければガスケット１５の弾性変形により吸収が可能なため、外壁材３とサッシ用ケーシング８のいずれが先であっても取り付け可能である。
【００１９】
なお、外壁材３の下サネ４が全部、あるいは一部を残してカットされている場合には、図２に示す形態のようにガスケット１５を、二次シール部１９を切り離さず、一次シール部１８及び二次シール部１９の両方を残したままでサッシ用ケーシング８に設置し、このサッシ用ケーシング８を窓用サッシ枠７に嵌め込むことによって、上記の場合と同様に外壁材３とサッシ用ケーシング８の端面間に形成される目地１４をガスケット１５で封止し、シールすることができる。この場合、ブチルゴム２８を使用しないが、二次シール部１９内の空間部２１のクッション効果によって、シール性を高めることができる。
【００２０】
また、外壁材３の端面が上サネ５の場合の形態が図３に示されている。この場合、ガスケット１５の一次シール部１８を第１カットライン２６から切り離し、その嵌め込み本体部１７をサッシ用ケーシング８の受け部１６に嵌め込むことによって、ガスケット１５をサッシ用ケーシング８に設置する。
【００２１】
そして、二次シール部１９の上面と上サネ５の下面との間にブチルゴム２８を挟み込んで外壁材３及びサッシ用ケーシング８を取り付けることにより、外壁材３とサッシ用ケーシング８の端面間をガスケット１５で封止し、シールすることができる。このケースで大切なことは、ガスケット１５の二次シール部１９の先端シール部２５が外壁材３の上サネ５の下部コーナー部分に接触して弾性変形し、この部分を完全にシールすることである。
【００２２】
しかして、上記したように外壁材３の端面形状が異なる３つの形態の封止構造において、いずれの場合にあっても、ガスケット１５の嵌め込み本体部１７をサッシ用ケーシング８の受け部１６に嵌め込むことにより、ガスケット１５を容易に設置し、このガスケット１５の一次シール部１８及び又は二次シール部１９により、外壁材３とサッシ用ケーシング８の端面間に形成される目地１４をシールすることによって、外壁材３の端面形状に影響されることなく目地１４を完全に封止し、止水を確実に行うことができる。
【００２３】
また、上記のような構成のガスケット１５を用いることにより、外壁材３の端面形状が下サネ４、上サネ５、サネ無しの場合のいずれであっても、一次シール部１８及び二次シール部１９を切り離さずにそのまま使用するか、あるいは一次シール部１８又は二次シール部１９のいずれかを第１カットライン２６又は第２カットライン２７から切り離して使用することにより、一種類のガスケット１５で３つの異なる形態の封止構造に対応することができる。
【００２４】
特に、ガスケット１５には、一次シール部１８及び二次シール部１９に対して第１カットライン２６及び第２カットライン２７が設定されているため、ここから容易に切り離して使用することができると共に、一次シール部１８及び二次シール部１９には、それぞれ先端シール部２２、２３、２４、及び２５が設けられ、この先端シール部２２、２３、２４、及び２５が、外壁材３及びサッシ用ケーシング８の端面に弾性変形して当接するようになっているため、シールをより確実に行うことができる。
【００２５】
更に、第２カットライン２７の内部に空間部２１が設けられているため、そのクッション効果によりシール性を一層向上させることができると共に、空間部２１を包含するように二次シール部１９を切り離すための第２カットライン２７が設定されているため、二次シール部１９を切り離す際において、切り離しを容易化することができる。
【００２６】
【発明の効果】
以上に説明したように、本発明に係るガスケットによると、一次シール部及び二次シール部を有し、これら一次シール部及び二次シール部を第１カットライン及び第２カットラインを設定して容易に切り離し可能となし、外壁材の端面のサネ形状に合わせて、そのまま使用するか、第１カットラインから一次シール部を切り離して使用するか、あるいは第２カットラインから二次シール部を切り離して使用するか、のいずれかによって使用できるようにしているため、外壁材端面のサネ形状が変わってもその影響を受けずに、一種類のガスケットにより外壁材と外部建具との間に形成される目地を確実に封止することができる。特に、一次シール部及び二次シール部は、その先端シール部が外壁材の端面に弾性変形して当接するようになっているため、目地の封止をより確実に行うことができる。
【図面の簡単な説明】
【図１】  本発明の実施形態に係る外壁材と外部建具間の封止構造の第１の形態を示す断面図である。
【図２】  本発明の実施形態に係る外壁材と外部建具間の封止構造の第２の形態を示す断面図である。
【図３】  本発明の実施形態に係る外壁材と外部建具間の封止構造の第３の形態を示す断面図である。
【図４】  本発明に係る外壁材と外部建具間の封止構造に使用するガスケットの構成を示す断面図である。
【図５】  従来の外壁材の組み上げ構造を示す部分断面図である。
【図６】  従来の外壁材の外部建具間の封止構造を示す断面図である。
【符号の説明】
１ 壁パネル
３ 外壁材
６ 開口
９ 外部建具
１４ 目地
１５ ガスケット
１６ 受け部
１７ 嵌め込み本体部
１８ 一次シール部
１９ 二次シール部
２０ スリット状空隙
２１ 空間部
２２、２３、２４、２５ 先端シール部
２６ 第１カットライン
２７ 第２カットライン
【図１】
0003779390.tif 000002
【図２】
0003779390.tif 000003
【図３】
0003779390.tif 000004
【図４】
0003779390.tif 000005
【図５】
0003779390.tif 000006
【図６】
0003779390.tif 000007